(57)【要約】【課題】  梯子面の横枠の中央付近に操作紐の結着部や滑車等を配さず、複数条の操作紐を架設せず、伸長操作もしくは短縮操作を効率よく行える伸縮梯子体を提供すること。【解決手段】  第一梯子と該第一梯子に組込みした第二梯子と該第二梯子に組込した第三梯子とよりなり、長さ方向の伸長もしくは短縮を可能としてあり、操作紐を脚部側より、該第一梯子上端部一側の、回動面を第一梯子梯子面と平行状乃至直交状に可動状とし、該平行状に発条手段により押止し、軸着してある滑車を介し反転させ、第二梯子下端部両側の、回動面を第二梯子梯子面と平行状となるよう軸着してある滑車を介し反転させ掛架し、第一梯子上端部他側の操作紐取付部に取付し、伸長連動紐を第一梯子上部の伸長連動紐取付部と第三梯子下部の伸長連動紐取付部との間に第二梯子上部の滑車を介し張設してあり、該操作紐による伸長操作もしくは短縮操作を可能としてあることを特徴とする伸縮梯子体。【選択図】図１
2005155096.tif 000002
【特許請求の範囲】
【請求項１】
断面を概ね四角形の枠体とし、正面に両側の縦枠にかけ所要複数の横枠を設けてなる梯子面を有した、第一梯子と該第一梯子に組込みした第二梯子とよりなり、これらを連設状に第一梯子下端を脚部とし第二梯子上端を先端とし、長さ方向の伸長もしくは短縮を可能としてあり、該第一梯子上端部の一側には滑車をその回動面を第一梯子梯子面と概ね直交状または平行状となるよう軸着してあり、該第一梯子上端部の他側には操作紐取付部を設けてあり、第二梯子下端部には両側に滑車をその回動面を第二梯子梯子面と概ね平行状となるよう軸着してあり、操作紐を脚部側より第一梯子上端部の滑車を介して反転させ更に第二梯子下端部の両側の滑車を介して反転させるよう掛架し第一梯子上端部の操作紐取付部に取付し、該操作紐による伸長操作もしくは短縮操作を可能としてあることを特徴とする伸縮梯子体。
【請求項２】
前記した第一梯子上端部の一側には滑車を、その回動面を第一梯子梯子面と概ね平行状乃至直交状に可動状となるよう軸着してあることを特徴とする、請求項１記載の伸縮梯子体。
【請求項３】
前記した第一梯子上端部の一側に軸着した滑車は、その回動面を第一梯子梯子面と概ね平行状に発条手段により押止してあり、常に該状態に復元するよう力をかけ、可動状として軸着してあることを特徴とする、請求項２記載の伸縮梯子体。
【請求項４】
前記した第一梯子上端部の一側には、誘導溝を螺刻した軸受を第一梯子長さ方向に設け、該誘導溝に対応する突部を設けた取付軸を有す滑車基部に軸着した滑車を、該取付軸を軸受に下側より挿通し上側に係止部材を取付し、上側位置乃至下側位置の上下動を可能とし、該上側位置においてはその軸線を第一梯子梯子面と長さ方向とに概ね直交状となり、該下側位置においてはその軸線を第一梯子梯子面と概ね平行状かつ長さ方向と概ね直交状となるよう、発条手段により上方に引寄せされ取付してあることを特徴とする、請求項３記載の伸縮梯子体。
【請求項５】
第一梯子と該第一梯子に組込みした第二梯子と該第二梯子に組込した第三梯子とよりなり、これらを連設状に第一梯子下端を脚部とし第三梯子上端を先端とし、長さ方向の伸長もしくは短縮を可能としてあり、第一梯子上部には伸長連動紐取付部を設けてあり、第二梯子上部には滑車を軸着してあり、第三梯子下部には伸長連動紐結着部を設けてあり、伸長連動紐を第一梯子上部の伸長連動紐取付部と第三梯子下部の伸長連動紐取付部との間に第二梯子上部の滑車を介して張設してあり、前記操作紐による伸長操作もしくは短縮操作を可能としてあることを特徴とする、請求項１乃至請求項４記載の伸縮梯子体。
【請求項６】
第一梯子上部には短縮連動紐取付部を設けてあり、第二梯子下部には滑車を軸着してあり、第三梯子上部には短縮連動紐結着部を設けてあり、短縮連動紐を第一梯子上部の短縮連動紐取付部と第三梯子上部の短縮連動紐取付部との間に第二梯子下部の滑車を介して張設してあり、前記操作紐による伸長操作もしくは短縮操作を可能としてあることを特徴とする、請求項５記載の伸縮梯子体。
【発明の詳細な説明】
【技術分野】
【０００１】
本発明は、主として災害時における高所の消防、救助、及び非難等に用いる、伸長もしくは短縮を可能とした伸縮梯子体に関する。
【背景技術】
【０００２】
災害時における高所の消防、救助、及び非難等に用いる、伸長もしくは短縮を可能とした伸縮梯子体としては、第一梯子と該第一梯子に組込みした第二梯子とよりなり、これらを連設状に第一梯子下端を脚部とし第二梯子上端を先端とし、長さ方向の伸長もしくは短縮を可能としてある二連梯子、第一梯子と該第一梯子に組込みした第二梯子と該第二梯子に組込した第三梯子とよりなり、これらを連設状に第一梯子下端を脚部とし第三梯子上端を先端とし、長さ方向の伸長もしくは短縮を可能としてある三連梯子等がある。
【０００３】
該伸縮梯子体の伸長操作もしくは短縮操作としては、二連梯子にあっては、操作紐の一端を、第一梯子下方より第一梯子梯子面の上部の横枠または該横枠に取付した滑車を介して反転させ、第二梯子梯子面の下部横枠に結着等してあり、該操作紐の引き戻し操作により伸長もしくは短縮し適宜長さ寸法とし、他端を第一梯子梯子面の下部の横枠に結着等し該適宜長さ寸法に固定状とし、また三連梯子にあっては、該操作と同様に先ず第三梯子を操作し、次いで第二梯子を操作する二段階操作がされている。
【０００４】
ここで、三連梯子にあっては該二段階操作の煩雑性に鑑み、本願発明者により考案された梯子体により、一の操作で同時に第二梯子と第三梯子とを連動させ、伸長もしくは短縮するよう、本発明の発明者による先の発明により改良がなされている（特許文献１参照。）。
【０００５】
しかし、何れの伸縮梯子体も、伸長操作もしくは短縮操作を効率よく行う為、梯子面の横枠中央付近に操作紐の結着部や滑車等を配し、また、複数条の操作紐を梯子面の横枠中央付近を梯子体長さ方向に架設してあり、これらは該伸縮梯子体を使用する使用者の昇降動作において、四肢や衣服等に引掛り絡み等し該動作に支障をきたすこととなる。
【０００６】
また、何れの伸縮梯子体も、収納時もしくは運搬時等に、第一梯子梯子面の上部の横枠または該横枠に取付した滑車が突出しており、該滑車が運搬時に損傷したり取出時に引掛かる等し好ましくなく、そこで、該滑車を突出しないこととすれば、第二梯子との間隙を大とする必要が生じ、第一梯子と第二梯子との厚さ寸法の差が大となり、強度性を担保するには収納性等を損ね、収納性を担保するには強度性を損ねることとなる。
【０００７】
【特許文献１】実用新案登録第３０１３０８０号公報
【発明の開示】
【発明が解決しようとする課題】
【０００８】
そこで、本願発明は、梯子面の横枠の中央付近に操作紐の結着部や滑車等を配さず、複数条の操作紐を梯子面の横枠中央付近を梯子体長さ方向に架設せずとも、伸長操作もしくは短縮操作を効率よく行え、また、滑車の突出なく収納性および強度性に優れた伸縮梯子体を提供することを課題とする。
【課題を解決するための手段】
【０００９】
前記課題を解決するための手段として、本願発明による伸縮梯子は、次の第１の構成乃至第６の構成としてある。
【００１０】
第１の構成として、本願発明による二連の伸縮梯子は、断面を概ね四角形の枠体とし、正面に両側の縦枠にかけ所要複数の横枠を設けてなる梯子面を有した、第一梯子と該第一梯子に組込みした第二梯子とよりなり、これらを連設状に第一梯子下端を脚部とし第二梯子上端を先端とし、長さ方向の伸長もしくは短縮を可能としてあり、該第一梯子上端部の一側には滑車をその回動面を第一梯子梯子面と概ね直交状または平行状となるよう軸着してあり、該第一梯子上端部の他側には操作紐取付部を設けてあり、第二梯子下端部には両側に滑車をその回動面を第二梯子梯子面と概ね平行状となるよう軸着してあり、操作紐を脚部側より第一梯子上端部の滑車を介して反転させ更に第二梯子下端部の両側の滑車を介して反転させるよう掛架し第一梯子上端部の操作紐取付部に取付し、該操作紐による伸長操作もしくは短縮操作を可能としてある。
【００１１】
第２の構成として、本願発明による伸縮梯子は、第１の構成と共に、前記した第一梯子上端部の一側には滑車を、その回動面を第一梯子梯子面と概ね平行状乃至直交状に可動状となるよう軸着してあることが望ましい。
【００１２】
第３の構成として、本願発明による伸縮梯子は、第２の構成と共に、前記した第一梯子上端部の一側に軸着した滑車は、その回動面を第一梯子梯子面と概ね平行状に発条手段により押止してあり、常に該状態に復元するよう力をかけ、可動状として軸着してあることが望ましい。
【００１３】
第４の構成として、本願発明による伸縮梯子は、第３の構成と共に、前記した第一梯子上端部の一側には、誘導溝を螺刻した軸受を第一梯子長さ方向に設け、該誘導溝に対応する突部を設けた取付軸を有す滑車基部に軸着した滑車を、該取付軸を軸受に下側より挿通し上側に係止部材を取付し、上側位置乃至下側位置の上下動を可能とし、該上側位置においてはその軸線を第一梯子梯子面と長さ方向とに概ね直交状となり、該下側位置においてはその軸線を第一梯子梯子面と概ね平行状かつ長さ方向と概ね直交状となるよう、発条手段により上方に引寄せされ取付してあることが望ましい。
【００１４】
第５の構成として、本願発明による三連の伸縮梯子は、第１の構成乃至第４の構成と共に、第一梯子と該第一梯子に組込みした第二梯子と該第二梯子に組込した第三梯子とよりなり、これらを連設状に第一梯子下端を脚部とし第三梯子上端を先端とし、長さ方向の伸長もしくは短縮を可能としてあり、第一梯子上部には伸長連動紐取付部を設けてあり、第二梯子上部には滑車を軸着してあり、第三梯子下部には伸長連動紐結着部を設けてあり、伸長連動紐を第一梯子上部の伸長連動紐取付部と第三梯子下部の伸長連動紐取付部との間に第二梯子上部の滑車を介して張設してあり、前記操作紐による伸長操作もしくは短縮操作を可能としてある。
【００１５】
第６の構成として、本願発明による三連の伸縮梯子は、第５の構成と共に、第一梯子上部には短縮連動紐取付部を設けてあり、第二梯子下部には滑車を軸着してあり、第三梯子上部には短縮連動紐結着部を設けてあり、短縮連動紐を第一梯子上部の短縮連動紐取付部と第三梯子上部の短縮連動紐取付部との間に第二梯子下部の滑車を介して張設してあり、前記操作紐による伸長操作もしくは短縮操作を可能としてある。
【発明の効果】
【００１６】
上記した第１の構成により本願発明は、梯子面の横枠に中央付近に操作紐の結着部や滑車等を配さず、また、複数条の操作紐を梯子面の横枠中央付近を梯子体長さ方向に架設せずとも、伸長操作もしくは短縮操作を効率よく行うことを可能とした二連の伸縮梯子体とできる。
【００１７】
上記した第２の構成により本願発明は、第一梯子上端部の一側の滑車を、操作紐を第一梯子梯子面となす角度を変える滑車の倒し操作または起し操作により、収納時もしくは運搬時等に、あるいは設置時もしくは使用者が昇降動作する使用時に、その回動面を第一梯子梯子面と概ね平行状に倒すことを可能とし、操作紐による伸長操作時もしくは短縮操作時に、あるいは設置時もしくは使用者が昇降動作する使用時に、その回動面を第一梯子梯子面と概ね直交状に起すことを可能とした、第一梯子と第二梯子との厚さ寸法の差を最小とできる、収納時もしくは運搬時等に第一梯子上部の滑車の突出しない伸縮梯子体とできる。
【００１８】
上記した第３の構成により本願発明は、第一梯子上端部の一側の滑車を、操作紐を第一梯子梯子面となす角度を変える滑車の倒し操作をせずとも、収納時もしくは運搬時等に、あるいは設置時もしくは使用者が昇降動作する使用時に、その回動面を第一梯子梯子面と概ね平行状に倒すことを可能とした、第一梯子と第二梯子との厚さ寸法の差を最小とできる、収納時もしくは運搬時等に第一梯子上部の滑車の突出しない伸縮梯子体とできる。
【００１９】
上記した第４の構成により本願発明は、第一梯子上端部の一側の滑車を、操作紐を第一梯子梯子面となす角度を変える滑車の倒し操作または起し操作をせずとも、収納時もしくは運搬時等に、その回動面を第一梯子梯子面と概ね平行状に確実に倒すことを可能とし、操作紐による伸長操作時もしくは短縮操作時に、あるいは設置時もしくは使用者が昇降動作する使用時に、その回動面を第一梯子梯子面と概ね直交状に起すことを可能とした、第一梯子と第二梯子との厚さ寸法の差を最小とできる、収納時もしくは運搬時等に第一梯子上部の滑車の突出しない伸縮梯子体とできる。
【００２０】
上記した第５の構成により本願発明は、梯子面の横枠に中央付近に操作紐の結着部や滑車等を配さず、また、複数条の操作紐を梯子面の横枠中央付近を梯子体長さ方向に架設せずとも、伸長操作もしくは短縮操作を効率よく行うことを可能とした三連の伸縮梯子体とできる。
【００２１】
上記した第６の構成により本願発明は、梯子面の横枠に中央付近に操作紐の結着部や滑車等を配さず、また、複数条の操作紐を梯子面の横枠中央付近を梯子体長さ方向に架設せずとも、伸長操作もしくは短縮操作を効率よく行うことを可能とした三連の伸縮梯子体とできる。
【００２２】
上述のように本願発明は、使用者の昇降動作において、滑車や操作紐及びその結着部等が四肢や衣服等に掛り絡み等せず、該動作に支障をきたすことがなく、また、滑車の突出なく収納性および強度性に優れた伸縮梯子体とできる。
【発明を実施するための最良の形態】
【００２３】
本願発明を実施するための最良の形態として、三連とした伸縮梯子体Ｌについて詳説する。
【００２４】
伸縮梯子体Ｌは、図１又乃至図３等に示すように、耐蝕性の金属材よりなる、好ましくは軽量の例えばチタン等合金よりなる、第一梯子１０と該第一梯子１０に組込みした第二梯子２０と該第二梯子２０に組込した第三梯子３０とよりなり、これらを連設状とし、最下部となる第一梯子下端部１Ｂを脚部ＬＢとし、最上部となる第三梯子上端部３Ｔを先端ＬＴとし、長さ方向の伸長もしくは短縮を可能としてある。
【００２５】
第一梯子１０、第二梯子２０、第三梯子３０は、其々、図４乃至図６等に示すように、縦枠１１，２１，３１と横枠１２，２２，３２とにより、全体を概ね順次小寸の直方体とした枠体としてあり、正面には両側の縦枠１１〜１１，２１〜２１，３１〜３１にかけ所要複数の横枠１２，１２，・・・，２２，２２，・・・，３２，３２，・・・を設けてなる梯子面１３，２３，３３を有しており、好ましくは、側面に筋交等の補強枠１４，２４，３４を有し、第一梯子１０側面に伸縮梯子体Ｌを支持する補助者が握持する該面に横倒可能の握持部ＬＧを有している。
【００２６】
第一梯子上端部１Ｔの一側には、図７等に示すように、滑車Ｐ１をその回動面を第一梯子梯子面１３と概ね直交状または平行状となるよう軸着してあり、該第一梯子上端部の他側には操作紐取付部１５を設けてあり、第二梯子下端部２Ｂには両側に滑車Ｐ２，Ｐ３をその回動面を第二梯子梯子面２３と概ね平行状となるよう軸着してあり、操作紐Ｒ１の一端を脚部側ＬＢより第一梯子上端部１Ｔの滑車Ｐ１を介して反転させ更に第二梯子下端部２Ｂの両側の滑車Ｐ２，Ｐ３を介して反転させるよう掛架し第一梯子上端部１Ｔの操作紐取付部１５に取付し、他端を操作紐Ｒ１の操作部としてある。
【００２７】
この、第一梯子上端部１Ｔの滑車Ｐ１は、第一梯子梯子面１３の第一梯子横枠１２の端部に寄せて、その回動面を第一梯子梯子面１３と概ね平行状乃至直交状に可動状となるよう軸着してあり、更に、回動面を第一梯子梯子面１３と概ね平行状に発条手段Ｓ１により押止してあり、常に該状態に復元するよう力Ａ３をかけ、可動状として軸着してあることが好ましい。
【００２８】
また、望ましくは、図８及び図９に示すように、第一梯子上端部１Ｔの一側には、誘導溝Ｓ２を螺刻した筒状の軸受Ｓ３を第一梯子１０の長さ方向に設け、該誘導溝Ｓ２に対応する突部Ｓ４を設けた取付軸Ｓ５を有す滑車基部Ｓ６に軸着した滑車Ｐ１を、該取付軸Ｓ５を軸受Ｓ３に下側より挿通し上側に係止部材Ｓ７を取付し、上側位置乃至下側位置の上下動を可能とし、該上側位置においてはその軸線を第一梯子梯子面１３と長さ方向とに概ね直交状となり、該下側位置においてはその軸線を第一梯子梯子面１３と概ね平行状かつ長さ方向と概ね直交状となるよう、発条手段Ｓ１により上方に引寄せされ取付してあるとよい。
【００２９】
これらにより、該操作紐Ｒ１の操作部は、第一梯子上端部１Ｔ乃至第一梯子下端部１Ｂ方向Ａ１へ引き操作することにより、第一梯子１０内より第二梯子２０を出し、第一梯子下端部１Ｂ乃至第一梯子上端部１Ｔ方向Ａ２へ戻し操作することにより、第二梯子２０を第一梯子１０内に入れ、第一梯子下端部１Ｂ乃至第二梯子上端部２Ｔの長さ寸法の、該操作紐Ｒ１による伸長操作もしくは短縮操作を可能としてある。
【００３０】
第一梯子上端部１Ｔには、図１乃至図３等に示すように、伸長連動紐取付部１６を設けてあり、第二梯子上端部２Ｔには滑車Ｐ４を軸着してあり、第三梯子下端部３Ｂには伸長連動紐結着部３５を設けてあり、伸長連動紐Ｒ２を第一梯子上端部１Ｔの伸長連動紐取付部１６と第三梯子下端部３Ｂの伸長連動紐取付部３５との間に第二梯子上端部２Ｔの滑車Ｐ４を介して張設してある。
【００３１】
また、伸長連動紐Ｒ２と第一梯子上端部１Ｔの伸長連動紐取付部１６と第三梯子下端部３Ｂの伸長連動紐取付部３５と第二梯子上端部２Ｔの滑車Ｐ４とは、伸縮梯子体Ｌ内であって梯子面１３，２３，３３と対する背面に寄せて配置してあり、更に一側に寄せて配置してあることが望ましく、また両側に配置してもよい。
【００３２】
第一梯子上端部１Ｔには、図１乃至図３等に示すように、短縮連動紐取付部１７を設けてあり、第二梯子下端部２Ｂには滑車Ｐ５を軸着し取付してあり、第三梯子上端部３Ｔには短縮連動紐取付部３６を設けてあり、短縮連動紐Ｒ３を第一梯子上端部１Ｔの短縮連動紐取付部１７と第三梯子上端部３Ｔの短縮連動紐取付部３６との間に第二梯子下端部２Ｂの滑車Ｐ５を介して張設してある。
【００３３】
また、短縮連動紐Ｒ３と第一梯子上端部１Ｔの短縮連動紐取付部１７と第三梯子上端部３Ｔの短縮連動紐取付部３６と第二梯子下端部２Ｂの滑車Ｐ５とは、伸縮梯子体Ｌ内であって梯子面１３，２３，３３と対する背面に寄せて配置してあり、更に一側に寄せて配置してあることが望ましく、また両側に配置してもよい。
【００３４】
これらにより、前記操作紐Ｒ１による、第一梯子下端部１Ｂ乃至第二梯子上端部２Ｔの長さ寸法の、伸長操作もしくは短縮操作と連動し、第一梯子１０内より第二梯子２０が出ることにより、第二梯子２０内より第三梯子３０を出し、第二梯子２０を第一梯子１０内に入れることにより、第三梯子３０を第二梯子２０内に入れ、第二梯子下端部２Ｂ乃至第三梯子上端部３Ｔの長さ寸法の、該操作紐Ｒ１による伸長操作もしくは短縮操作を可能とし、操作紐Ｒ１による一の伸長操作もしくは短縮操作で、伸縮梯子体Ｌの脚部ＬＢ乃至先端ＬＴの長さ寸法の、伸長操作もしくは短縮操作を可能としてある。
【００３５】
伸長操作もしくは短縮操作し適宜長さ寸法とした伸縮梯子体Ｌは、図１０及び図１１に示すように、設置時もしくは使用者が昇降動作する使用時に、第一梯子１０側面に設けた操作紐挟掴具Ｆ１の、偏心軸を介して軸着した挟掴駒Ｆ２の周縁の軸と近い位置と、これに対設してある挟掴壁Ｆ３との間に生ずる間隙Ａ４に挿通し、該操作紐Ｒ１の第一梯子下端部１Ｂ乃至第一梯子上端部１Ｔ方向Ａ２の動きを、これに伴う挟掴駒Ｆ２の回転により周縁の軸と遠い位置において狭まった挟掴壁Ｆ３との間隙Ａ５により、該操作紐Ｒ１の操作部を挟掴し、固定状とすることが望ましく、併せて第一梯子１０側面に設けた操作紐捲回部Ｆ４に操作紐Ｒ１を捲回することが好ましい。
【００３６】
また、伸長操作もしくは短縮操作し適宜長さ寸法とした伸縮梯子体Ｌは、設置時もしくは使用者が昇降動作する使用時に、第一梯子上端部１Ｔと第二梯子下端部２Ｂおよび第二梯子上端部２Ｔと第三梯子下端部３Ｂとの重る部分Ａ６，Ａ７において、本発明の発明者による先の発明としてある、特開平１１−１４８２８５号や特開２００２−２２７５７７号に開示された発明による係止機構Ｆ５等を取付してあることが望ましい。
【図面の簡単な説明】
【００３７】
【図１】最長に伸長した三連の伸縮梯子体の平面図である。
【図２】最短に短縮した三連の伸縮梯子体の平面図である。
【図３】僅かに伸長した三連の伸縮梯子体の平面図である。
【図４】第一梯子の平面図である。
【図５】第二梯子の平面図である。
【図６】第三梯子の平面図である。
【図７】図１の三連の伸縮梯子体の一部拡大平面図である。
【図８】第一梯子上端部滑車の概要図である。
【図９】第一梯子上端部滑車の概要図である。
【図１０】操作紐挟掴具及び操作紐捲回部の概要図である。
【図１１】操作紐挟掴具及び操作紐捲回部の概要図である。
【符号の説明】
【００３８】
Ｌ    伸縮梯子体
ＬＢ  伸縮梯子体脚部
ＬＴ  伸縮梯子体先端
ＬＧ  握持部
Ｐ１  第一梯子上端部滑車
Ｐ２  第二梯子下端部滑車
Ｐ３  第二梯子下端部滑車
Ｐ４  第二梯子上端部滑車
Ｐ５  第二梯子下端部滑車
Ｒ１  操作紐
Ｒ２  伸長連動紐
Ｒ３  短縮連動紐
Ｓ１  発条手段
Ｓ２  誘導溝
Ｓ３  軸受
Ｓ４  突部
Ｓ５  取付軸
Ｓ６  滑車基部
Ｓ７  係止部材
Ｆ１  操作紐挟掴具
Ｆ２  挟掴駒
Ｆ３  挟掴壁
Ｆ４  操作紐捲回部
Ｆ５  係止機構
１０  第一梯子
１Ｂ  第一梯子下端部
１Ｔ  第一梯子上端部
１１  第一梯子縦枠
１２  第一梯子横枠
１３  第一梯子梯子面
１４  第一梯子補強枠
１５  操作紐取付部
１６  伸長連動紐取付部
１７  短縮連動紐取付部
２０  第二梯子
２Ｂ  第二梯子下端部
２Ｔ  第二梯子上端部
２１  第二梯子縦枠
２２  第二梯子横枠
２３  第二梯子梯子面
２４  第二梯子補強枠
３０  第三梯子
３Ｂ  第三梯子下端部
３Ｔ  第三梯子上端部
３１  第三梯子縦枠
３２  第三梯子横枠
３３  第三梯子梯子面
３４  第三梯子補強枠
３５  伸長連動紐取付部
３６  短縮連動紐取付部
【図１】
2005155096.tif 000003
【図２】
2005155096.tif 000004
【図３】
2005155096.tif 000005
【図４】
2005155096.tif 000006
【図５】
2005155096.tif 000007
【図６】
2005155096.tif 000008
【図７】
2005155096.tif 000009
【図８】
2005155096.tif 000010
【図９】
2005155096.tif 000011
【図１０】
2005155096.tif 000012
【図１１】
2005155096.tif 000013